(57)【特許請求の範囲】
【請求項１】
洗浄水が滞留する溜水部、及び上部周縁部に形成したリム通水路を有する便鉢部と、
この便鉢部の下端部に連通した排水路と、
前記リム通水路に沿って前記便鉢部の周方向の一方向に洗浄水を吐水する第１吐水口と、
この第１吐水口から吐水される洗浄水の前記リム通水路における終端部であって前記便鉢部の後部に形成されており、前記溜水部に流下した洗浄水が縦方向の旋回流を形成するように前記リム通水路を流れる洗浄水が衝突することにより流れ方向を前記溜水部に向ける流れ変更部と、
を備えていることを特徴とする水洗式便器。
【請求項２】
前記流れ変更部は上方に張り出した庇部を有していることを特徴とする請求項１記載の水洗式便器。
【請求項３】
前記流れ変更部は前記リム通水路の外周側の側壁部を外方向に凹ませて形成していることを特徴とする請求項１又は２記載の水洗式便器。
【請求項４】
前記流れ変更部は前記便鉢部に前記排水路が連通している側に形成されており、前記便鉢部は前記流れ変更部に対向する位置に形成された第１立壁を有していることを特徴とする請求項１乃至３のいずれか１項記載の水洗式便器。
【請求項５】
前記第１吐水口から吐水される洗浄水が前記流れ変更部に到達する経路の途中であって、この流れ変更部に近い側に設けられ、前記リム通水路に沿って、前記第１吐水口から吐水される洗浄水と同一方向である前記便鉢部の周方向の一方向に洗浄水を吐水する第２吐水口を備えていることを特徴とする請求項１乃至４のいずれか１項記載の水洗式便器。
【請求項６】
前記便鉢部は前記流れ変更部から流下する洗浄水の流れ方向に沿って形成された第２立壁を有していることを特徴とする請求項１乃至５のいずれか１項記載の水洗式便器。
【発明の詳細な説明】
【技術分野】
【０００１】
本発明は水洗式便器に関する。
【背景技術】
【０００２】
特許文献１には従来の水洗式便器が開示されている。この水洗式便器は、便鉢部、排水路、リム吐水口及び補助吐水口を備えている。便鉢部は、洗浄水が滞留する溜水部と、上部周縁部に形成したリム通水路とを有している。排水路は便鉢部の下端部に連通している。リム吐水口は、リム通水路に沿って、便鉢部の周方向の一方向に洗浄水を吐水する。補助吐水口は溜水部よりも上方の便鉢部の表面に開口している。補助吐水口は、補助導水路を介して、リム吐水口の直ぐ下流側のリム通水路に開口した導入口に連通している。
【０００３】
この水洗式便器では、リム吐水口から吐水される洗浄水の一部が導入口に流入する。導入口に流入した洗浄水は補助導水路を経て補助吐水口から溜水部に吐水される。リム吐水口から吐水され、導入口に流入しない残りの洗浄水は、リム通水路に沿って便鉢部の表面を旋回しながら流下する。この便鉢部の表面を旋回する洗浄水に補助吐水口から吐水される洗浄水が合流することによって、溜水部に向けた洗浄水の勢いが強くなる。これにより、勢いの強い洗浄水が溜水部から排水路に流れる。このため、便鉢内の汚物を良好に排出することができる。
【先行技術文献】
【特許文献】
【０００４】
【特許文献１】特開２０１０−２３６３２０号公報
【発明の概要】
【発明が解決しようとする課題】
【０００５】
しかし、特許文献１の水洗式便器では、リム吐水口から吐水される洗浄水の一部が導入口に流入し、補助導水路を経て補助吐水口から溜水部に吐水されるため、リム通水路に沿って便鉢部の表面を流下する洗浄水の水量が減少する。節水化を図るために洗浄水の水量を少なくすると、この水洗式便器では、便鉢部の表面を流下する洗浄水の水量が少なくなり、便鉢部の表面の洗浄が不充分になるおそれがある。
【０００６】
本発明は、上記従来の実情に鑑みてなされたものであって、洗浄水の水量が少なくても、便鉢部の表面の洗浄、及び便鉢部からの汚物の排出を良好に行うことができる水洗式便器を提供することを解決すべき課題としている。
【課題を解決するための手段】
【０００７】
本発明の水洗式便器は、洗浄水が滞留する溜水部、及び上部周縁部に形成したリム通水路を有する便鉢部と、
この便鉢部の下端部に連通した排水路と、
前記リム通水路に沿って前記便鉢部の周方向の一方向に洗浄水を吐水する第１吐水口と、
この第１吐水口から吐水される洗浄水の前記リム通水路における終端部であって前記便鉢部の後部に形成されており、前記溜水部に流下した洗浄水が縦方向の旋回流を形成するように前記リム通水路を流れる洗浄水が衝突することにより流れ方向を前記溜水部に向ける流れ変更部と、
を備えていることを特徴とする。
【０００８】
この水洗式便器では、第１吐水口から吐水される洗浄水の全てがリム通水路に沿って流れ、便鉢部の表面を旋回しつつ流下する。このため、第１吐水口から吐水される洗浄水の水量が少なくても、この水洗式便器は便鉢部の表面全体に洗浄水を確実に流すことができる。また、洗浄水が便鉢部の表面を旋回しながら流れるため、洗浄水を便鉢部の表面に沿って長く流すことができる。このため、この水洗式便器は便鉢部の表面を良好に洗浄することができる。
【０００９】
また、この水洗式便器は、第１吐水口から吐水される洗浄水のリム通水路における終端部に流れ変更部を形成しているため、リム通水路を終端部まで流れた洗浄水は、流れ変更部に衝突し、溜水部に向けて流下する。便鉢部の表面を旋回しつつ流下する洗浄水は、遠心力が働くため、水平外方向に力が作用し、下方向に向けての流れの勢いが弱い。このため、洗浄水が溜水部の下端部に連通した排水路へ流入し難い。しかし、流れ変更部に衝突し、溜水部に向けて流下する洗浄水が合流することによって、便鉢部の表面を旋回する洗浄水の流れを下方向に変更させることができる。これにより、溜水部に向いて下方に流れる洗浄水の勢いが強くなる。この勢いの強い洗浄水が溜水部を経由して排水路へ流入するため、汚物を便鉢部から良好に排出することができる。
【００１０】
したがって、本発明の水洗式便器は、洗浄水の水量が少なくても、便鉢部の表面の洗浄、及び便鉢部からの汚物の排出を良好に行うことができる。
【００１１】
前記流れ変更部は上方に張り出した庇部を有し得る。この場合、流れ変更部に衝突した洗浄水が上方に跳ね上がることを防止することができる。このため、洗浄水が水洗式便器の外部に飛散することを防止することができる。また、洗浄水が水洗式便器の外部に飛散しないため、第１吐水口から吐水する洗浄水を便鉢部の表面の洗浄、及び便鉢部からの汚物の排出に有効に利用することができる。さらに、庇部の下面は流れ変更部に衝突する洗浄水で洗浄することができるため、庇部の下面の汚れを防止することができる。
【００１２】
前記流れ変更部は前記リム通水路の外周側の側壁部を外方向に凹ませて形成し得る。この場合、便鉢部の上端開口の開口面積が小さくなることを防止することができる。また、便鉢部の上端開口の開口面積を小さくすることなく庇部を容易に設けることができる。さらに、便鉢部の外形寸法を大型化しなくてもよくなり、水洗式便器の小型化を図ることができる。
【００１３】
前記流れ変更部は前記便鉢部に前記排水路が連通している側に形成されており、前記便鉢部は前記流れ変更部に対向する位置に形成された第１立壁を有し得る。この場合、流れ変更部に衝突し、溜水部に向けて流下する洗浄水を第１立壁に衝突させて排水路方向に流すことができる。このように、洗浄水が淀みなく排水路に流入するため、便鉢部から汚物の排出を良好に行うことができる。
【００１４】
前記第１吐水口から吐水される洗浄水が前記流れ変更部に到達する経路の途中であって、この流れ変更部に近い側に設けられ、前記リム通水路に沿って、前記第１吐水口から吐水される洗浄水と同一方向である前記便鉢部の周方向の一方向に洗浄水を吐水する第２吐水口を備え得る。この場合、第２吐水口から吐水する勢いの強い洗浄水を流れ変更部に衝突させて、溜水部に向けて流下させることができる。このため、洗浄水を排水路に勢いよく流入させることができるため、便鉢部から汚物の排出を良好に行うことができる。
【００１５】
前記便鉢部は前記流れ変更部から流下する洗浄水の流れ方向に沿って形成された第２立壁を有し得る。この場合、第２立壁に沿って流れる洗浄水が縦方向の旋回流を形成する。このため、溜水部に流入する洗浄水を太い束にして排水路に流入させることができる。よって、便鉢部から汚物の排出を良好に行うことができる。
【図面の簡単な説明】
【００１６】
【図１】実施例の水洗式便器の一部平面断面図である。
【図２】実施例の水洗式便器の縦断面図である。
【図３】図２の矢視Ａ−Ａ断面図である。
【図４】図２の矢視Ｂ−Ｂ断面図である。
【図５】実施例の水洗式便器の要部斜視図である。
【発明を実施するための形態】
【００１７】
本発明の水洗式便器を具体化した実施例を図面を参照しつつ説明する。
【００１８】
＜実施例＞
実施例の水洗式便器は、図１〜図５に示すように、便鉢部１０、排水路２０、第１吐水口３１、第２吐水口３２、及び流れ変更部４０を備えている。便鉢部１０は、水洗式便器を前端側から見て便鉢部１０の後方側に寄った中央部に急激に下方に落ち込む立壁１２を有している。立壁１２に囲まれた部分は平面視で略ひし形である。便鉢部１０は立壁１２の下部から後方かつ下方に延びて形成された溜水部１１を有している。つまり、便鉢部１０は下部に洗浄水が滞留する溜水部１１を有している。
【００１９】
また、便鉢部１０は上部周縁部に形成したリム通水路１３を有している。リム通水路１３は、便鉢部１０の中央側に緩やかに傾斜した棚部１３Ａと、棚部１３Ａに連続して外周側に立ちあがった側壁部１３Ｂと、側壁部１３Ｂの上端部から内側に延びて上方に張り出した庇部１３Ｃとを有している。リム通水路１３に洗浄水が流れる際、側壁部１３Ｂ及び庇部１３Ｃによって洗浄水が外側に飛散することを防止することができる。
【００２０】
排水路２０は、流入口２１Ａが便鉢部１０の下端部に連続して連通しており、後方かつ上方に延びた上昇路２１と、上昇路２１の下流端に連続して垂直下方に延びた下降路２２とを有している。下降路２２の下流端開口２２Ａは下方に開口しており、接続部材３の上流端開口に挿入し、接続される。水洗式便器は排水路２０を接続部材３を介して床面に引き出された排水管に連通することができる。
【００２１】
第１吐水口３１は、水洗式便器を前端側から見て左側であって、便鉢部１０の前後方向の中央より前側にリム通水路１３に連続するように前方に向けて開口している。このため、第１吐水口３１から吐水された洗浄水はリム通水路１３に沿って便鉢部１０の周方向の一方向（反時計回りの方向）に流れる。第１吐水口３１は第１吐水空間３１Ａの先端部に形成されている。第１吐水空間３１Ａは水洗式便器を前端側から見て左側の側部に前後方向に延びて形成されている。第１吐水空間３１Ａは後端部から洗浄水分配器２の左側吐水管２Ｌの先端部が挿入されている。
【００２２】
洗浄水分配器２は、流入口２Ａと、流入口２Ａから左右に分岐して形成した左側吐水管２Ｌ、及び右側吐水管２Ｒとを有している。洗浄水分配器２は水洗式便器の後部に配置されている。流入口２Ａは水洗式便器の後部に載置して固定される洗浄タンク１の排水口が挿入される。洗浄水分配器２は、流入口２Ａに流入した洗浄水を左側吐水管２Ｌと右側吐水管２Ｒとに分配し、夫々の先端部から洗浄水を吐水することができる。
【００２３】
第２吐水口３２は、水洗式便器を前端側から見て右側であって、便鉢部１０の後部に左方向を向いて開口している。このため、第２吐水口３２から吐水された洗浄水はリム通水路１３に沿って第１吐水口３１から吐水される洗浄水と同一方向である便鉢部１０の周方向の一方向（反時計回りの方向）に流れる。第２吐水口３２は第２吐水空間３２Ａの左側端部に形成されている。第２吐水空間３２Ａは水洗式便器を前端側から見て右側の側部に形成されている。第２吐水空間３２Ａは後端部から洗浄水分配器２の右側吐水管２Ｒの先端部が挿入されている。
【００２４】
流れ変更部４０は、図１、図４及び図５に示すように、第１吐水口３１から吐水される洗浄水のリム通水路１３における終端部、つまり、水洗式便器を前端側から見て便鉢部１０の左側の後方角部に形成されている。このため、第２吐水口３２は、第１吐水口３１から吐水される洗浄水が流れ変更部４０に到達する経路の途中であって、流れ変更部４０側に近い側に設けられていることになる。また、流れ変更部４０は便鉢部１０に排水路２０が連通している側、つまり便鉢部１０の後方側に形成されている。
【００２５】
流れ変更部４０はリム通水路３０の外周側の側壁部１３Ｂを外方向に凹ませて形成している。このため、便鉢部１０の上端開口の開口面積が小さくなることを防止することができる。流れ変更部４０は、リム通水路１３の棚部１３Ａに連続する棚部４０Ａ、リム通水路１３の側壁部１３Ｂに連続する側壁部４０Ｂ、及びリム通水路１３の庇部１３Ｃに連続し、上方に張り出した庇部４０Ｃを有している。このように、便鉢部１０の上端開口の開口面積を小さくすることなく庇部４０Ｃを容易に設けることができる。また、便鉢部１０の外形寸法を大型化しなくてもよくなり、水洗式便器の小型化を図ることができる。
【００２６】
流れ変更部４０より上流側のリム通水路１３の側壁部１３Ｂは、洗浄水が周方向にスムーズに流れるように便鉢部１０の外周面に沿って緩やかに曲がり具合を変更している。一方、流れ変更部４０の側壁部４０Ｂは、急激に曲がっているため、第１吐水口３１及び第２吐水口３２から吐水され、リム通水路１３を流れてきた洗浄水が衝突し、その流れ方向が変更する。つまり、流れ変更部４０の側壁部４０Ｂに衝突した洗浄水が溜水部１１に向けて流下するように流れ変更部４０が形成されている。
【００２７】
便鉢部１０は、図１及び図３に示すように、水洗式便器を前端側から見て左前側に位置する立壁１２が流れ変更部４０から流下する洗浄水の流れ方向に沿って形成されている。つまり、第２立壁１２Ｂを構成している。また、便鉢部１０は、水洗式便器を前端側から見て右前側に位置する立壁１２が流れ変更部４０に対向する位置に形成されている。つまり、第１立壁１２Ａを構成している。
【００２８】
このような構成を有する水洗式便器は、洗浄タンク１に貯留された洗浄水を排水口から排水して便器洗浄を実行すると、洗浄水分配器２を介して、第１吐水口３１及び第２吐水口３２から洗浄水が吐水される。第１吐水口３１から吐水された洗浄水の全てがリム通水路１３に沿って流れ、便鉢部１０の表面を旋回しつつ流下する。このため、第１吐水口３１から吐水された洗浄水の水量が少なくても、便鉢部１０の表面全体に洗浄水を確実に流すことができる。また、洗浄水が便鉢部１０の表面を旋回しながら流れるため、洗浄水を便鉢部１０の表面に沿って長く流すことができる。このため、この水洗式便器は便鉢部１０の表面を良好に洗浄することができる。
【００２９】
また、この水洗式便器は、流れ変更部４０に第１吐水口３１及び第２吐水口３２から吐水され、リム通水路１３を流れてきた洗浄水が衝突し、溜水部１１に向けて流下する。便鉢部１０の表面を旋回しつつ流下する洗浄水は、遠心力が働くため、水平外方向に力が作用し、下方向に向けての流れの勢いが弱い。このため、洗浄水が溜水部１１の下端部に連通した排水路２０へ流入し難い。しかし、流れ変更部４０に衝突し、溜水部１１に向けて流下する洗浄水が合流することによって、便鉢部１０の表面を旋回する洗浄水の流れを下方向に変更させることができる。特に、第２吐水口３２から吐水された勢いの強い洗浄水が流れ変更部４０に衝突し、溜水部１１に向けて流下するため、溜水部１１に向いて下方に流れる洗浄水の勢いが強くなる。この勢いの強い洗浄水が溜水部１１を経由して排水路２０へ流入するため、汚物を便鉢部１０から良好に排出することができる。
【００３０】
したがって、実施例の水洗式便器は、洗浄水の水量が少なくても、便鉢部１０の表面の洗浄、及び便鉢部１０からの汚物の排出を良好に行うことができる。
【００３１】
流れ変更部４０の庇部４０Ｃは流れ変更部４０の側壁部４０Ｂに衝突する洗浄水が上方に跳ね上がることを防止することができる。このため、洗浄水が水洗式便器の外部に飛散することを防止することができる。また、水洗式便器に供給された洗浄水が外部に飛散しないため、洗浄水を便鉢部１０の表面の洗浄、及び便鉢部１０からの汚物の排出に有効に利用することができる。さらに、庇部４０Ｃの下面は流れ変更部４０の側壁部４０Ｂに衝突する洗浄水で洗浄することができるため、庇部４０Ｃの下面の汚れを防止することができる。
【００３２】
流れ変更部４０から溜水部１１に向けて流下する洗浄水は、第２立壁１２Ｂに沿って流れる。この際、洗浄水が縦方向の旋回流を形成し、洗浄水が太い束の流れになる。その後、洗浄水は第１立壁１２Ａに衝突し、排水路２０方向に流れ方向を変更する。このように洗浄水が淀みなく、太い束となって排水路２０に勢いよく流入するため、便鉢部１０から汚物の排出を良好に行うことができる。
【００３３】
本発明は上記記述及び図面によって説明した実施例に限定されるものではなく、例えば次のような実施例も本発明の技術的範囲に含まれる。
（１）実施例では、第２吐水口を備えていたが、第１吐水口のみで第２吐水口を設けなくてもよい。
（２）実施例では、流れ変更部をリム通水路の外周側の側壁部を外方向に凹ませて形成したが、リム通水路の棚部に障壁を立設させて形成してもよい。
（３）実施例では、第１立壁、第２立壁を設けたが、これらを設けなくてもよい。
（４）実施例では、洗浄水を貯留する洗浄タンクを有していたが、洗浄タンクを有さず、給水源から開閉弁を介して洗浄水を直接、給水してもよい。
（５）実施例では、流れ変更部を第２吐水口より下流側に設けたが、流れ変更部を第２吐水口の手前に設けてもよい。
（６）実施例では、洗浄水分配器を有していたが、洗浄水分配器を有さず、洗浄タンクから直接、第１吐水口及び第２吐水口まで導水してもよい。
【符号の説明】
【００３４】
１０…便鉢部
１１…溜水部
１２Ａ…第１立壁
１２Ｂ…第２立壁
１３…リム通水路
２０…排水路
３１…第１吐水口
３２…第２吐水口
４０…流れ変更部
４０Ｃ…庇部
【図１】
0005841343.tif 000002
【図２】
0005841343.tif 000003
【図３】
0005841343.tif 000004
【図４】
0005841343.tif 000005
【図５】
0005841343.tif 000006